(57)【要約】【課題】気管支鏡を挿入して気管支の末梢に染料を吹き付けた際に、染料が滲み出す肺表面の位置をシミュレーションしてマッピング画像を表示する場合において、気管支の変形およびカテーテルの誤挿入も考慮したマッピング画像を表示可能なマッピング画像表示制御装置および方法並びにプログラムを提供する。【解決手段】気管支領域に含まれる末梢の枝の延長線が肺領域の表面に到達する到達位置情報を推定し、かつ特定の末梢の枝を目標対象の枝とした場合に、予め設定された条件に基づいて、特定の末梢の枝の到達位置情報以外の想定マッピング情報を推定する到達位置情報推定部１４と、特定の末梢の枝の到達位置情報および想定マッピング情報を肺領域の表面にマッピングしたマッピング画像を生成して表示部に表示させる表示制御部１５とを備える。【選択図】図１
2018138124.tif 000002
【特許請求の範囲】
【請求項１】
３次元画像に含まれる肺領域を抽出する肺領域抽出部と、
前記肺領域内に含まれる気管支領域を抽出する気管支領域抽出部と、
前記気管支領域の分岐位置の情報を取得する分岐位置情報取得部と、
前記分岐位置の情報に基づいて、前記気管支領域に含まれる末梢の枝の延長線が前記肺領域の表面に到達する到達位置情報を推定し、かつ特定の前記末梢の枝を目標対象の枝とした場合に、予め設定された条件に基づいて、前記特定の末梢の枝の前記到達位置情報以外の想定マッピング情報を推定する到達位置情報推定部と、
前記特定の末梢の枝の到達位置情報および前記想定マッピング情報を前記肺領域の表面にマッピングしたマッピング画像を生成して表示部に表示させる表示制御部とを備えるマッピング画像表示制御装置。
【請求項２】
前記到達位置情報推定部が、気管支に気管支鏡が挿入された場合における前記気管支の変形の条件に基づいて、前記想定マッピング情報を推定する請求項１記載のマッピング画像表示制御装置。
【請求項３】
前記到達位置情報推定部が、前記気管支領域の基端部と前記特定の末梢の枝との間に存在する分岐位置から延びる前記特定の末梢の枝とは異なる末梢の枝の延長線が前記肺領域の表面に到達する位置情報を前記想定マッピング情報として推定する請求項１または２記載のマッピング画像表示制御装置。
【請求項４】
前記到達位置情報推定部が、前記特定の末梢の枝の末端から１つ目または２つ目の分岐位置から延びる前記特定の末梢の枝とは異なる末梢の枝の延長線が前記肺領域の表面に到達する位置情報を前記想定マッピング情報として推定する請求項３記載のマッピング画像表示制御装置。
【請求項５】
前記到達位置情報推定部が、前記分岐位置の情報と前記末梢の枝とに基づいて設定された直線を前記枝の延長線として推定する請求項１から４いずれか１項記載のマッピング画像表示制御装置。
【請求項６】
前記到達位置情報推定部が、前記末梢の枝の末端と前記末端から１つの目の分岐位置の情報とに基づいて設定された直線を前記末梢の枝の延長線として推定する請求項５記載のマッピング画像表示制御装置。
【請求項７】
前記到達位置情報推定部が、前記末梢の枝上の点と前記末梢の枝の末端から１つの目の分岐位置の情報に基づいて特定された点とを用いてスプライン補間し、該スプライン補間によって求められた曲線を前記末梢の枝の延長線として推定する請求項１から４いずれか1項記載のマッピング画像表示制御装置。
【請求項８】
前記到達位置情報推定部が、前記分岐位置の情報に基づいて前記末梢の枝を特定し、前記肺領域における前記特定した末梢の枝の支配領域を特定し、該支配領域の重心と前記末梢の枝の末端とを結んだ直線を前記末梢の枝の延長線として推定する請求項１から４いずれか１項記載のマッピング画像表示制御装置。
【請求項９】
前記到達位置情報推定部が、前記分岐位置の情報に基づいて前記末梢の枝を特定し、前記肺領域における前記特定した末梢の枝の支配領域を特定し、該支配領域の表面のうちの前記肺領域の表面となる領域の重心を前記到達位置情報として推定する請求項１から４いずれか１項記載のマッピング画像表示制御装置。
【請求項１０】
前記肺領域内に含まれる血管領域を抽出する血管領域抽出部を備え、
前記到達位置情報推定部が、前記血管領域および前記分岐位置の情報に基づいて、前記末梢の枝の延長線を推定する請求項１から４いずれか１項記載のマッピング画像表示制御装置。
【請求項１１】
前記血管領域抽出部が、前記血管領域として、肺静脈領域および肺動脈領域のうちの少なくとも一方を抽出する請求項１０記載のマッピング画像表示制御装置。
【請求項１２】
前記表示制御部が、前記特定の末梢の枝の到達位置情報および前記想定マッピング情報に基づいて領域を設定し、該領域を前記肺領域の表面にマッピングしたマッピング画像を生成して表示部に表示させる請求項１から１１いずれか１項記載のマッピング画像表示制御装置。
【請求項１３】
３次元画像に含まれる肺領域を抽出し、
前記肺領域内に含まれる気管支領域を抽出し、
前記気管支領域の分岐位置の情報を取得し、
前記分岐位置の情報に基づいて、前記気管支領域に含まれる末梢の枝の延長線が前記肺領域の表面に到達する到達位置情報を推定し、かつ特定の前記末梢の枝を目標対象の枝とした場合に、予め設定された条件に基づいて、前記特定の末梢の枝の前記到達位置情報以外の想定マッピング情報を推定し、
前記特定の末梢の枝の到達位置情報および前記想定マッピング情報を前記肺領域の表面にマッピングしたマッピング画像を生成して表示部に表示させるマッピング画像表示制御方法。
【請求項１４】
コンピュータを、
３次元画像に含まれる肺領域を抽出する肺領域抽出部と、
前記肺領域内に含まれる気管支領域を抽出する気管支領域抽出部と、
前記気管支領域の分岐位置の情報を取得する分岐位置情報取得部と、
前記分岐位置の情報に基づいて、前記気管支領域に含まれる末梢の枝の延長線が前記肺領域の表面に到達する到達位置情報を推定し、かつ特定の前記末梢の枝を目標対象の枝とした場合に、予め設定された条件に基づいて、前記特定の末梢の枝の前記到達位置情報以外の想定マッピング情報を推定する到達位置情報推定部と、
前記特定の末梢の枝の到達位置情報および前記想定マッピング情報を前記肺領域の表面にマッピングしたマッピング画像を生成して表示部に表示させる表示制御部として機能させるマッピング画像表示制御プログラム。
【発明の詳細な説明】
【技術分野】
【０００１】
本発明は、気管支の末梢に染料を吹き付けた場合に、その染料が滲み出す肺表面の位置をシミュレーションし、その位置を肺表面上にマッピングしたマッピング画像を生成して表示させる装置および方法並びにプログラムに関するものである。
【背景技術】
【０００２】
近年、肺の切除領域をマーキングする方法としてVAL-MAP（Virtual Assisted Lung Mapping）法が提案されている（非特許文献１参照）。このVAL-MAP法では、腫瘍の周辺にある気管支を任意に選択し、その気管支に対して気管支鏡の手技を実施する。そして、カテーテルを気管支の末梢まで進ませ、その末梢に染料を吹きかけることによって肺表面を染色する。
【０００３】
このように肺表面を染色することによって、開胸あるいは胸腔鏡の手技時には染色された領域をランドマークとして、腫瘍の存在位置を高精度に予測できる。
【先行技術文献】
【特許文献】
【０００４】
【特許文献１】特願２０１５−１７７５２３号
【非特許文献】
【０００５】
【非特許文献１】Masaaki Sato、外８名、“Thoracoscopic wedge lung resection using virtual-assisted lung mapping”、[online]、２０１４年６月１２日、Asian Cardiovascular and Thoracic Annals、〈URL:http://aan.sagepub.com/content/early/2014/06/12/0218492314539332〉
【発明の概要】
【発明が解決しようとする課題】
【０００６】
ここで、上述したVAL-MAP法を実施する際、どの気管支を選択して染料を吹き付けると肺表面のどの辺りが染色されるかを術前にシミュレーションによって確認したい場合がある。そこで、事前に撮影されたＣＴ（Computed Tomography）画像などの３次元画像を用いて画像処理により抽出された気管支領域に基づいて、肺表面に染色できる位置をシミュレーションする方法が考えられる。
【０００７】
このようなシミュレーションを行う場合、通常、気管支領域は、肺表面に触れるところまでは存在しないので、気管支領域を肺表面まで引き延ばすことが考えられる。気管支領域を肺表面まで引き延ばす方法としては、たとえば気管支領域の経路をグラフ構造として抽出し、そのグラフ構造の末端を肺表面まで延長させる方法が考えられる（たとえば特許文献１参照）。
【０００８】
しかしながら、発明者の検討結果によれば、上述したようなシミュレーションを行った後、そのシミュレーション結果を考慮して染色のための気管支鏡処置を行ったとしても、シミュレーション通りの位置に染色されない場合があることがわかった。このため、想定する切除領域のための指標にするには難しい場合があり、最悪の場合、染色処置がもう一度必要となる場合が発生することがわかった。
【０００９】
また、実際の現場では、どこに染色されたかを確認するために、染色処置後にＣＴ画像を撮影する。そして、このＣＴ画像を解析し、実際に染色された位置とシミュレーション結果の位置とのずれを把握し、切除のための計画を立てている。事前にずれを把握できていれば、このような術後のＣＴ画像の撮影をする必要がなくなる。
【００１０】
発明者が、さらに検討を進めた結果、上述したような実際の染色位置とシミュレーション結果との位置ずれの要因として、２つの要因を発見した。一つの要因としては、末梢付近の気管支ほど、気管支鏡を挿入した際に変形してしまうことである。
【００１１】
また、末梢に近くなるほど気管支領域の径が狭くなり、気管支鏡を挿入することができなくなるため、カテーテルを挿入する。この際、リアルタイムに撮影されたＸ線透視像を観察しながらカテーテルの挿入方向が決定されるが、術者のＸ線透視像に対する視線方向が固定されているため、奥行き方向について挿入する枝を誤る可能性がある。この誤挿入が、もう一つの要因と考えられる。
【００１２】
本発明は、上記事情に鑑み、気管支の末梢に染料を吹き付けた場合に、その染料が滲み出す肺表面の位置をシミュレーションしてマッピング画像を表示する場合において、気管支の変形およびカテーテルの誤挿入も考慮したマッピング画像を生成し、表示させることができるマッピング画像表示制御装置および方法並びにプログラムを提供することを目的とするものである。
【課題を解決するための手段】
【００１３】
本発明のマッピング画像表示制御装置は、３次元画像に含まれる肺領域を抽出する肺領域抽出部と、肺領域内に含まれる気管支領域を抽出する気管支領域抽出部と、気管支領域の分岐位置の情報を取得する分岐位置情報取得部と、分岐位置の情報に基づいて、気管支領域に含まれる末梢の枝の延長線が肺領域の表面に到達する到達位置情報を推定し、かつ特定の末梢の枝を目標対象の枝とした場合に、予め設定された条件に基づいて、特定の末梢の枝の到達位置情報以外の想定マッピング情報を推定する到達位置情報推定部と、特定の末梢の枝の到達位置情報および想定マッピング情報を肺領域の表面にマッピングしたマッピング画像を生成して表示部に表示させる表示制御部とを備える。
【００１４】
また、上記本発明のマッピング画像表示制御装置において、到達位置情報推定部は、気管支に気管支鏡が挿入された場合における気管支の変形の条件に基づいて、想定マッピング情報を推定することができる。
【００１５】
また、上記本発明のマッピング画像表示制御装置において、到達位置情報推定部は、気管支領域の基端部と特定の末梢の枝との間に存在する分岐位置から延びる特定の末梢の枝とは異なる末梢の枝の延長線が肺領域の表面に到達する位置情報を想定マッピング情報として推定することができる。
【００１６】
また、上記本発明のマッピング画像表示制御装置において、到達位置情報推定部は、特定の末梢の枝の末端から１つ目または２つ目の分岐位置から延びる特定の末梢の枝とは異なる末梢の枝の延長線が肺領域の表面に到達する位置情報を想定マッピング情報として推定することができる。
【００１７】
また、上記本発明のマッピング画像表示制御装置において、到達位置情報推定部は、分岐位置の情報と末梢の枝とに基づいて設定された直線を枝の延長線として推定することができる。
【００１８】
また、上記本発明のマッピング画像表示制御装置において、到達位置情報推定部は、末梢の枝の末端と末端から１つの目の分岐位置の情報とに基づいて設定された直線を末梢の枝の延長線として推定することができる。
【００１９】
また、上記本発明のマッピング画像表示制御装置において、到達位置情報推定部は、末梢の枝上の点と末梢の枝の末端から１つの目の分岐位置の情報に基づいて特定された点とを用いてスプライン補間し、そのスプライン補間によって求められた曲線を末梢の枝の延長線として推定することができる。
【００２０】
また、上記本発明のマッピング画像表示制御装置において、到達位置情報推定部は、分岐位置の情報に基づいて末梢の枝を特定し、肺領域における特定した末梢の枝の支配領域を特定し、その支配領域の重心と末梢の枝の末端とを結んだ直線を末梢の枝の延長線として推定することができる。
【００２１】
また、上記本発明のマッピング画像表示制御装置において、到達位置情報推定部は、分岐位置の情報に基づいて末梢の枝を特定し、肺領域における特定した末梢の枝の支配領域を特定し、その支配領域の表面のうちの肺領域の表面となる領域の重心を到達位置情報として推定することができる。
【００２２】
また、上記本発明のマッピング画像表示制御装置においては、肺領域内に含まれる血管領域を抽出する血管領域抽出部を備えることができ、到達位置情報推定部は、血管領域および分岐位置の情報に基づいて、末梢の枝の延長線を推定することができる。
【００２３】
また、上記本発明のマッピング画像表示制御装置において、血管領域抽出部は、血管領域として、肺静脈領域および肺動脈領域のうちの少なくとも一方を抽出することができる。
【００２４】
また、上記本発明のマッピング画像表示制御装置において、表示制御部は、特定の末梢の枝の到達位置情報および想定マッピング情報に基づいて領域を設定し、その領域を肺領域の表面にマッピングしたマッピング画像を生成して表示部に表示させることができる。
【００２５】
本発明のマッピング画像表示制御方法は、３次元画像に含まれる肺領域を抽出し、肺領域内に含まれる気管支領域を抽出し、気管支領域の分岐位置の情報を取得し、分岐位置の情報に基づいて、気管支領域に含まれる末梢の枝の延長線が肺領域の表面に到達する到達位置情報を推定し、かつ特定の末梢の枝を目標対象の枝とした場合に、予め設定された条件に基づいて、特定の末梢の枝の到達位置情報以外の想定マッピング情報を推定し、特定の末梢の枝の到達位置情報および想定マッピング情報を肺領域の表面にマッピングしたマッピング画像を生成して表示部に表示させる。
【００２６】
本発明のマッピング画像表示制御プログラムは、コンピュータを、３次元画像に含まれる肺領域を抽出する肺領域抽出部と、肺領域内に含まれる気管支領域を抽出する気管支領域抽出部と、気管支領域の分岐位置の情報を取得する分岐位置情報取得部と、分岐位置の情報に基づいて、気管支領域に含まれる末梢の枝の延長線が肺領域の表面に到達する到達位置情報を推定し、かつ特定の末梢の枝を目標対象の枝とした場合に、予め設定された条件に基づいて、特定の末梢の枝の到達位置情報以外の想定マッピング情報を推定する到達位置情報推定部と、特定の末梢の枝の到達位置情報および想定マッピング情報を肺領域の表面にマッピングしたマッピング画像を生成して表示部に表示させる表示制御部として機能させる。
【００２７】
本発明の他のマッピング画像表示制御装置は、コンピュータに実行させるための命令を記憶するメモリと、記憶された命令を実行するよう構成されたプロセッサを備え、プロセッサが、３次元画像に含まれる肺領域を抽出する処理と、肺領域内に含まれる気管支領域を抽出する処理と、気管支領域の分岐位置の情報を取得する処理と、分岐位置の情報に基づいて、気管支領域に含まれる末梢の枝の延長線が肺領域の表面に到達する到達位置情報を推定し、かつ特定の末梢の枝を目標対象の枝とした場合に、予め設定された条件に基づいて、特定の末梢の枝の到達位置情報以外の想定マッピング情報を推定する処理と、特定の末梢の枝の到達位置情報および想定マッピング情報を肺領域の表面にマッピングしたマッピング画像を生成して表示部に表示させる処理とを実行するように構成されている。
【発明の効果】
【００２８】
本発明のマッピング画像表示制御装置および方法並びにプログラムによれば、３次元画像に含まれる肺領域を抽出し、肺領域内に含まれる気管支領域を抽出し、気管支領域の分岐位置の情報を取得する。そして、その分岐位置の情報に基づいて、気管支領域に含まれる末梢の枝の延長線が肺領域の表面に到達する到達位置情報を推定する。そして、さらに特定の末梢の枝を目標対象の枝とした場合に、予め設定された条件に基づいて、特定の末梢の枝の到達位置情報以外の想定マッピング情報を推定し、その特定の末梢の枝の到達位置情報および想定マッピング情報を肺領域の表面にマッピングしたマッピング画像を生成して表示する。
【００２９】
すなわち、上述したカテーテルの誤挿入および気管支の変形などを考慮した条件を予め設定し、その条件に基づいて、想定マッピング情報を推定してマッピング画像を生成し表示させるようにしたので、ユーザは、実際に気管支の末梢に染料を吹き付けた場合における位置ずれも考慮した上で、腫瘍の切除領域などを決定することができる。
【００３０】
また、予め染色位置のずれを把握することができるので、染色処置後において、染色位置を確認するためのＣＴ画像の撮影を行う必要がない。
【図面の簡単な説明】
【００３１】
【図１】本発明のマッピング画像表示制御装置および方法並びにプログラムの一実施形態を用いた医用画像診断支援システムの概略構成を示すブロック図
【図２】到達位置情報を求める方法を説明するための図
【図３】マッピング画像の一例を示す図
【図４】特定の末梢の枝の到達位置情報および想定マッピング情報のみをマッピング画像上に表示した例を示す図
【図５】特定の末梢の枝の到達位置情報および想定マッピング情報のみをマッピング画像上に表示したその他の例を示す図
【図６】本発明のマッピング画像表示制御装置および方法並びにプログラムの一実施形態を用いた医用画像診断支援システムの作用を説明するためのフローチャート
【図７】気管支の変形を考慮して想定マッピング情報を推定する方法を説明するための図
【図８】末梢の枝上の２つの点と分岐点とを用いてスプライン補間した曲線を気管支領域の末梢の枝の延長線として推定する場合を説明するための図
【図９】スプライン補間によって気管支領域の末梢の枝の延長線を推定する場合のその他の例を説明するための図
【図１０】末梢の枝の支配領域の重心と末梢の枝の末端とを結んだ直線を気管支領域の末梢の枝の延長線として推定する場合を説明するための図
【図１１】支配領域の表面のうちの肺領域の表面となる領域の重心を到達位置情報として推定する場合を説明するための図
【図１２】血管領域抽出部をさらに備えた医用画像診断支援システムの概略構成を示すブロック図
【図１３】血管領域および分岐位置の情報に基づいて、気管支領域の末梢の枝の延長線が肺表面に到達する位置を推定する場合を説明するための図
【発明を実施するための形態】
【００３２】
以下、本発明のマッピング画像表示制御装置および方法並びにプログラムの一実施形態を用いた医用画像診断支援システムについて、図面を参照しながら詳細に説明する。図１は、本発明の第１の実施形態の医用画像診断支援システムの概略構成を示すブロック図である。
【００３３】
本実施形態の医用画像診断支援システムは、上述したVAL-MAP法を行う際の支援を行うものであり、基本的には、気管支の末梢に染料を吹き付けた場合に、その染料が滲み出す肺表面の位置をシミュレーションし、その位置を肺表面上にマッピングしたマッピング画像を生成して表示させるものである。医者は、このマッピング画像を観察することによって、気管支を選択してその末梢に染料を吹き付けた場合に、肺表面のどの位置に染料が滲み出すかを把握することができるので、術前に、染料を吹き付ける気管支を適切に選択することができる。
【００３４】
さらに、本実施形態の医用画像診断支援システムは、上述したように医者が、染料を吹き付ける気管支を選択し、その選択した気管支に気管支鏡を実際に挿入する場合において、上述したようにカテーテルを誤って異なる気管支に挿入して染料を吹き付けた場合も想定して、マッピング画像を生成し表示させるものである。
【００３５】
本実施形態の医用画像診断支援システムは、具体的には、図１に示すように、マッピング画像表示制御装置１と、医用画像保管サーバ２と、表示装置３（表示部に相当するものである）と、入力装置４とを備えている。
【００３６】
マッピング画像表示制御装置１は、コンピュータに本実施形態のマッピング画像表示制御プログラムをインストールしたものである。 
【００３７】
マッピング画像表示制御装置１は、中央処理装置（ＣＰＵ（central processing unit））、半導体メモリ、およびハードディスクやＳＳＤ(Solid State Drive)等のストレージデバイスを備えている。ストレージデバイスには、本実施形態のマッピング画像表示制御プログラムがインストールされており、このマッピング画像表示制御プログラムが中央処理装置によって実行されることによって、図１に示す医用画像取得部１０、肺領域抽出部１１、気管支領域抽出部１２、分岐位置情報取得部１３、到達位置情報推定部１４および表示制御部１５が動作する。
【００３８】
マッピング画像表示制御プログラムは、ＤＶＤ（Digital Versatile Disc）、ＣＤ−ＲＯＭ（Compact Disc Read Only Memory）などの記録媒体に記録されて配布され、その記録媒体からコンピュータにインストールされる。または、マッピング画像表示制御プログラムは、ネットワークに接続されたサーバコンピュータの記憶装置もしくはネットワークストレージに対して外部からアクセス可能な状態で記憶され、要求に応じてコンピュータにダウンロードされ、インストールされる。
【００３９】
医用画像取得部１０は、予め撮影された患者の胸部の３次元画像６を取得するものである。３次元画像６は、たとえばＣＴ（Computed Tomography）装置やＭＲＩ（Magnetic Resonance Imaging）装置などによって患者の胸部を撮影したものである。
【００４０】
３次元画像６は、医用画像保管サーバ２に患者の識別情報とともに予め保管されており、医用画像取得部１０は、入力装置４などを用いてユーザによって入力された患者の識別情報に基づいて、その識別情報を有する３次元画像６を医用画像保管サーバ２から読み出して一時記憶するものである。
【００４１】
肺領域抽出部１１は、医用画像取得部１０によって取得された胸部の３次元画像６から肺領域を抽出する処理を行うものである。肺領域を抽出する方法としては、肺野は空気が存在する領域であるため、３次元画像６の各画素位置の信号値をヒストグラム化し、肺領域をしきい値処理することにより抽出する方法や、肺領域を表すシード点に基づく領域拡張法などの公知の手法を用いることができる。
【００４２】
気管支領域抽出部１２は、胸部の３次元画像６の肺領域内に含まれる気管支領域を抽出する処理を行うものである。３次元画像６に含まれる気管支は、気管支の内部の画素は空気領域に相当するため低い画素値を示す領域として表れるが、気管支壁は比較的高い画素値を示す円柱あるいは線状の構造物であると考えられる。そこで、画素毎に画素値の分布に基づく形状の構造解析を行なって気管支を抽出する。たとえば特開２０１２−２００４０３号公報に記載の方法のように、各画素の画素値に基づいてヘッセ解析を行うことによって気管支領域および気管支領域を細線化したグラフ構造を抽出することができる。なお、気管支領域を抽出方法としては、その他の公知の手法を用いるようにしてもよい。
【００４３】
分岐位置情報取得部１３は、気管支領域抽出部１２によって抽出された気管支領域の分岐位置の情報を取得するものである。具体的には、分岐位置情報取得部１３は、気管支領域抽出部１２において抽出された気管支領域のグラフ構造を、開始点、端点、分岐点およびエッジに分類し、その分岐点の位置情報を気管支領域の分岐位置の情報として取得するものである。
【００４４】
到達位置情報推定部１４は、分岐位置情報取得部１３によって取得された分岐位置の情報に基づいて、気管支領域に含まれる末梢の枝の延長線が肺領域の表面に到達する到達位置情報を推定するものである。
【００４５】
ここで、VAL-MAP法において気管支の末梢に染料を吹き付けた場合に、その染料が肺の組織内を通過し、肺表面に到達して滲み出す位置は、気管支の末梢の枝の延長線が肺表面に到達する位置と推定することができる。
【００４６】
そこで、到達位置情報推定部１４は、３次元画像から気管支領域のグラフ構造を抽出し、そのグラフ構造に含まれる末梢の枝の末端と、分岐位置情報取得部１３によって取得された分岐位置の情報とに基づいて設定された直線を気管支領域の末梢の枝の延長線として推定する。そして、その延長線が肺領域の表面に到達する到達位置情報を、染料が肺表面に到達する位置として推定する。
【００４７】
具体的には、到達位置情報推定部１４は、図２に示すように、気管支領域のグラフ構造の末梢の枝Ｂｒの末端Ｔとその末端Ｔから１つの目の分岐点Ｓとを結んだ直線を抹消の枝Ｂｒの延長線Ｌ１として推定する。そして、その延長線Ｌ１と肺領域表面との交点を到達位置情報として取得する。末端Ｔから１つ目の分岐点とは、気管支領域の末端から気管支領域の基端部側（上流側）に向かう方向について１つの目の分岐である。
【００４８】
なお、本実施形態においては、末端Ｔから１つ目の分岐点を用いるようにしたが、これに限らず、末端Ｔから２つ目の分岐点や３つ目の分岐点などを用いて延長線を設定するようにしてもよい。
【００４９】
また、本実施形態においては、気管支領域のグラフ構造の末梢の枝の末端Ｔとその末端Ｔから１つの目の分岐点Ｓとを結ぶようにしたが、必ずしも分岐点Ｓを用いなくてもよく、実質的に同等の結果が得られるような点であれば、分岐点Ｓの近傍の点を用いてもよい。すなわち、分岐位置の情報とグラフ構造の末梢の枝の末端とに基づいて設定された直線とは、末梢の枝の末端Ｔと分岐点Ｓの近傍の点とを結んで設定された直線も含むものとする。
【００５０】
なお、到達位置情報は必ずしも１点の座標でなくてもよく、その交点を含む２次元的または３次元的な範囲を到達位置情報として取得するようにしてもよい。到達位置情報は、気管支の末梢に染料を吹き付けた場合に、その染料が肺の組織内を通過し、肺表面に到達する到達点または到達範囲を表す情報である。
【００５１】
さらに、本実施形態の到達位置情報推定部１４は、気管支領域の末梢の枝のうちの特定の末梢の枝を、染料を吹き付ける目標対象の枝とした場合に、上述したようなカテーテルの誤挿入を想定し、その誤挿入された末梢の枝の到達位置情報を想定マッピング情報として推定するものである。具体的には、本実施形態の到達位置情報推定部１４は、気管支領域の基端部と、上述した特定の末梢の枝との間に存在する分岐位置から延びる特定の末梢の枝とは異なる末梢の枝の到達位置情報を想定マッピング情報として推定する。気管支領域の基端部と特定の末梢の枝との間に存在する分岐位置としては、たとえば、図２に示す抹消の枝Ｂｒを特定の末梢の枝とした場合、その末端Ｔから１つ目の分岐点Ｓを用いるようにしてもよいし、末端Ｔから２つ目の分岐点Ｖを用いるようにしてもよい。分岐点Ｓを用いた場合には、抹消の枝Ｂｒとは異なる末梢の枝Ｂｓの到達位置情報が想定マッピング情報として推定される。また、分岐点Ｖを用いた場合には、抹消の枝Ｂｒとは異なる末梢の枝Ｂｓおよび末梢の枝Ｂｔの到達位置情報が想定マッピング情報として推定される。
【００５２】
表示制御部１５は、肺領域抽出部１１によって抽出された肺領域および気管支領域抽出部１２によって抽出された気管支領域に基づいて、肺領域および気管支領域のボリュームレンダリング画像を生成するものである。肺領域のボリュームレンダリング画像の不透明度については、肺領域内の気管支領域が視認できる程度に設定され、肺領域と気管支領域の色はそれぞれ異なる色に設定される。
【００５３】
また、表示制御部１５は、到達位置情報推定部１４において推定された到達位置情報および想定マッピング情報並びに到達位置情報を推定する際に設定された延長線を、肺領域および気管支領域のボリュームレンダリング画像に重ね合わせたマッピング画像を生成し表示装置３に表示させるものである。
【００５４】
図３は、表示装置３に表示させるマッピング画像の一例を示す図である。図３に示すマッピング画像の例では、到達位置情報は球体で表示され、気管支領域の末梢の枝の延長線はグレーの太線で表示されている。また、マッピング画像の中央の球体は、腫瘍領域を表す画像である。なお、到達位置情報は、全ての末梢の枝について推定されてマッピング画像上に表示されるが、図３においては一部の到達位置情報のみを示し、その他の到達位置情報の表示を図示省略しているものとする。
【００５５】
そして、図３に示すような到達位置情報を含むマッピング画像が表示された状態において、たとえば腫瘍領域との位置関係に基づいて、ユーザが、特定の到達位置情報Ｐ１を選択した場合、表示制御部１５は、図３に示すように、その到達位置情報Ｐ１に関連する末梢の枝Ｂｖまでの経路を表示させ、特定の到達位置情報Ｐ１をその他の到達位置情報とは異なる色で表示させる。
【００５６】
そして、このとき到達位置情報推定部１４は、ユーザによって選択された到達位置情報Ｐ１に関連する枝Ｂｖを、特定の末梢の枝とし、その枝Ｂｒを目標対象の枝とした場合における上述した想定マッピング情報を推定し、表示制御部１５に出力する。
【００５７】
表示制御部１５は、想定マッピング情報が入力されると、ユーザによって選択された到達位置情報と想定マッピング情報の到達位置情報のみをボリュームレンダリング画像に重ね合わせたマッピング画像を生成して表示させるものである。図４は、そのマッピング画像の一例を示す図である。図４は、枝Ｂｖの末端から１つめの分岐点Ｗを用いて想定マッピング情報を推定した場合のマッピング画像であり、分岐点Ｗから延びる末梢の枝Ｂｖｓの到達位置情報Ｐ２が想定マッピング情報としてマッピング画像上に表示されている。また、図５は、枝Ｂｖの末端から２つめの分岐点Ｘを用いて想定マッピング情報を推定した場合のマッピング画像であり、分岐点Ｘから延びる末梢の枝Ｂｖｓ，Ｂｖ３，Ｂｖ４の到達位置情報Ｐ２，Ｐ３，Ｐ４が想定マッピング情報としてマッピング画像上に表示されている。
【００５８】
なお、図４および図５に示す例では、ユーザによって選択された到達位置情報および想定マッピング情報の到達位置情報のみをマッピング画像上に表示するようにしたが、これに限らず、その他の到達位置情報もマッピング画像上に表示し、ユーザによって選択された到達位置情報および想定マッピング情報の到達位置情報をその他の到達位置情報とは異なる表示形態でマッピング画像上に表示するようにしてもよい。具体的には、ユーザによって選択された到達位置情報および想定マッピング情報の到達位置情報をその他の到達位置情報とは異なる色または異なる形状で表示するようにしてもよい。
【００５９】
また、上記説明では、想定マッピング情報の到達位置情報を表示する際、ユーザが特定の到達位置情報を選択するようにしたが、これに限らず、たとえば腫瘍領域との距離が最も近い到達位置情報を特定するなどして自動的に選択するようにしてもよい。
【００６０】
また、マッピング画像内に表示される到達位置情報を表す球体の大きさは、ユーザによって入力装置４を用いて任意に設定可能である。また、到達位置情報を表す球体は、表示および非表示を切り替え可能にしてもよく、また、点滅表示させるようにしてもよい。また、気管支領域の延長線は必ずしも表示しなくてもよく、ユーザによって表示と非表示を切り替え可能としてもよい。
【００６１】
表示装置３は、液晶ディスプレイなどの表示デバイスを備えたものであり、上述したボリュームレンダリング画像などを表示するものである。
【００６２】
入力装置４は、ユーザによる種々の設定入力を受け付けるものであり、キーボードやマウスなどの入力デバイスを備えたものである。入力装置４は、たとえば患者の識別情報の設定入力、ボリュームレンダリング画像の不透明度および色の設定入力、並びに到達位置情報の表示形状および大きさの設定入力、特定の到達位置情報の選択などを受け付けるものである。なお、タッチパネルを用いることによって表示装置３と入力装置４と兼用するようにしてもよい。
【００６３】
次に、本実施形態の医用画像診断支援システムの作用について、図６に示すフローチャートを参照しながら説明する。
【００６４】
まず、ユーザによる患者の識別情報などの入力に基づいて、医用画像取得部１０によって医用画像保管サーバ２から３次元画像６が読み出されて取得される（Ｓ１０）。
【００６５】
医用画像取得部１０によって取得された３次元画像６は、肺領域抽出部１１および気管支領域抽出部１２に入力される。肺領域抽出部１１は、入力された３次元画像６から肺領域を抽出し（Ｓ１２）、気管支領域抽出部１２は、入力された３次元画像６から気管支領域を抽出し、さらにその気管支領域を細線化したグラフ構造を取得する（Ｓ１４）。
【００６６】
気管支領域抽出部１２によって取得されたグラフ構造は、分岐位置情報取得部１３に入力され、分岐位置情報取得部１３は、入力されたグラフ構造に基づいて、気管支領域の分岐位置の情報を取得する（Ｓ１６）。
【００６７】
分岐位置情報取得部１３によって取得された分岐位置の情報は、到達位置情報推定部１４に入力され、到達位置情報推定部１４は、入力された分岐位置の情報に基づいて、気管支領域の末梢の枝の延長線を設定し、その延長線と肺領域表面との交点の情報を到達位置情報として取得する（Ｓ１８）。
【００６８】
肺領域抽出部１１によって抽出された肺領域および気管支領域抽出部１２によって抽出された気管支領域が表示制御部１５に入力され、表示制御部１５は、入力された肺領域および気管支領域に基づいて、そのボリュームレンダリング画像を生成する。さらに、到達位置情報推定部１４において設定された気管支領域の末梢の枝の延長線および到達位置情報が表示制御部１５に入力され、表示制御部１５は、入力された末梢の枝の延長線および到達位置情報を肺領域および気管支領域のボリュームレンダリング画像に重ね合わせたマッピング画像を生成し（Ｓ２０）、そのマッピング画像を表示装置３に表示させる（Ｓ２２）。
【００６９】
次いで、マッピング画像上に表示された複数の到達位置情報のうち、特定の到達位置情報が選択された場合には（Ｓ２４，ＹＥＳ）、到達位置情報推定部１４は、ユーザによって選択された到達位置情報に関連する末梢の枝を、特定の末梢の枝とし、その枝を目標対象の枝とした場合における想定マッピング情報を推定し（Ｓ２６）、表示制御部１５に出力する。
【００７０】
表示制御部１５は、想定マッピング情報が入力されると、ユーザによって選択された到達位置情報と想定マッピング情報の到達位置情報のみをボリュームレンダリング画像に重ね合わせたマッピング画像を生成して表示させる（Ｓ２８）。
【００７１】
次に、本発明の第２の実施形態の医用画像診断支援システムについて説明する。第２の実施形態の医用画像診断支援システムの概略構成については、図１に示す第１の実施形態と同様であるが、到達位置情報推定部１４において推定される想定マッピング情報が、第１の実施形態とは異なる。したがって、ここではその想定マッピング情報を中心に説明する。
【００７２】
上述したとおり特定の末梢の枝を目標対象の枝とし、実際にその目標対象の枝に向けて気管支鏡を挿入した際、気管支鏡の剛性により、気管支が曲がる場合がある。この場合、気管支の末梢の枝が延びる方向が、到達位置情報を推定する際に設定した延長線の方向とは異なる方向となる可能性がある。
【００７３】
そこで、第２の実施形態の到達位置情報推定部１４においては、分岐にかかる負荷を考慮して、上述したような気管支の曲がりを想定し、術中において末梢の枝が延びる方向を推定し、その推定した方向に基づいて想定マッピング情報を推定する。
【００７４】
気管支鏡が挿入された際における気管支の変形（曲がり）の条件については、たとえば気管支領域における末梢の枝毎に予め設定しておいてもよいし、気管支領域の分岐位置毎に変形の条件を設定しておき、特定の末梢の枝が選択された際、その特定の末梢の枝の末端から気管支の基端部までの間に存在する分岐位置を特定し、その特定した分岐位置の変形条件に基づいて、想定マッピング情報を推定するようにしてもよい。
【００７５】
具体的には、第２の実施形態の到達位置情報推定部１４は、図７に示すように、特定の末梢の枝Ｂｒについて、その変形条件に基づいて変形後の枝Ｂｒａを推定し、その枝Ｂｒａの到達位置情報Ｐｒａを推定する。なお、到達位置情報Ｐｒａの推定方法は、第１の実施形態と同様である。
【００７６】
そして、特定の末梢の枝Ｂｒの到達位置情報Ｐｒと変形後の枝Ｂｒａの到達位置情報Ｐｒａの両方を含む肺領域表面上の領域Ｒを想定マッピング情報として推定する。領域Ｒとしては、到達位置情報Ｐｒと到達位置情報Ｐｒａと結ぶ線分を直径とする円としてもよいし、到達位置情報Ｐｒと到達位置情報Ｐｒａと結ぶ線分を半径とし、到達位置情報Ｐｒを中心とする円としてもよい。また、到達位置情報Ｐｒａを想定マッピング情報としてもよい。
【００７７】
そして、第２の実施形態の到達位置情報推定部１４においては、マッピング画像上に表示された複数の到達位置情報のうち、図７に示す到達位置情報Ｐｒが選択された場合には、想定マッピング情報として、上述した領域Ｒの情報または到達位置情報Ｐｒａを推定し、表示制御部１５に出力する。
【００７８】
表示制御部１５は、ユーザによって選択された到達位置情報Ｐｒと領域Ｒを示す指標および／または到達位置情報Ｐｒａとをボリュームレンダリング画像に重ね合わせたマッピング画像を生成して表示させる。
【００７９】
上記第１および第２の実施形態の医用画像診断支援システムによれば、カテーテルの誤挿入または気管支の変形を考慮した条件を予め設定し、その条件に基づいて、想定マッピング情報を推定してマッピング画像上に表示させるようにしたので、ユーザは、実際に気管支の末梢に染料を吹き付けた場合における位置ずれも考慮した上で、腫瘍の切除領域などを決定することができる。
【００８０】
また、予め染色位置のずれを把握することができるので、染色処置後において、染色位置を確認するためのＣＴ画像の撮影を行う必要がない。
【００８１】
なお、第１の実施形態においても、第２の実施形態と同様に、特定の末梢の枝の到達位置情報と想定マッピング情報とに基づいて領域を設定し、その領域を示す指標をボリュームレンダリング画像に重ね合わせたマッピング画像を生成して表示させるようにしてもよい。
【００８２】
また、想定マッピング情報を推定する際、第１の実施形態のようにカテーテルの誤挿入を考慮し、かつ第２の実施形態のように気管支の変形も考慮して、特定の末梢の枝の到達位置情報とは異なる到達位置情報を推定し、これにより想定マッピング情報を推定するようにしてもよい。
【００８３】
また、上記第１および第２の実施形態においては、グラフ構造の末端と分岐点とを結ぶ直線を気管支領域の末梢の枝の延長線として推定するようにしたが、気管支領域の末梢の枝の延長線の設定方法としてはこれに限らない。たとえば、図８に示すように、末梢の枝上の２つの点ｐ１および点ｐ２と末梢の枝の末端Ｔから１つの目の分岐点Ｓとを用いてスプライン補間し、そのスプライン補間によって求められた曲線Ｌ２を末梢の枝の延長線として推定するようにしてもよい。
【００８４】
このようにスプライン補間によって求められた曲線Ｌ２を末梢の枝の延長線として推定するようにした場合には、より高精度に末梢の枝の延長線を推定することができる。
【００８５】
なお、このようにスプライン補間によって末梢の枝の延長線を推定する場合においても、必ずしも分岐点Ｓを用いなくてもよく、実質的に同等の結果が得られるような点であれば、分岐点Ｓの近傍の点を用いてもよい。
【００８６】
また、上記説明では、分岐点Ｓと末梢の枝上の２つの点ｐ１，ｐ２を用いてスプライン補間を行うようにしたが、分岐点Ｓ以外の点については、３つ以上の点を設定するようにしてもよい。また、図８に示すように末梢の枝上の２点を設定するのではなく、図９に示すように、末梢の枝上の少なくとも１つ以上の点ｐ１と分岐点Ｓと分岐点Ｓよりも気管上流側の点ｐ３とを用いてスプライン補間して曲線Ｌ３を推定するようにしてもよい。点ｐ３は、分岐点Ｓと分岐点Ｓから気管上流側に１つ前の分岐点との間に設定することが望ましい。なお、スプライン補間に用いる点ｐ１〜ｐ３は、ユーザが入力装置４を用いて任意に設定するようにしてもよいし、分岐点Ｓからの距離を予め設定しておき、自動的に設定するようにしてもよい。
【００８７】
また、分岐位置情報取得部１３によって取得された分岐位置の情報に基づいて、末梢の枝を特定し、肺領域におけるその特定した末梢の枝の支配領域を特定し、その支配領域の重心と末梢の枝の末端とを結んだ直線を気管支領域の末梢の枝の延長線として推定するようにしてもよい。
【００８８】
具体的には、図１０に示すように、分岐位置情報取得部１３によって取得された分岐点Ｓに基づいて末梢の枝Ｂを特定し、肺領域における末梢の枝Ｂの支配領域Ｒａを特定し、その支配領域Ｒａの重心Ｇ１と末梢の枝Ｂの末端Ｔとを結んだ直線Ｌ４を気管支領域の末梢の枝の延長線として推定するようにしてもよい。なお、気管支領域の末梢の枝の支配領域Ｒａについては、解剖学的な見地から末梢の枝毎に予め設定されるものであり、ここでいう重心Ｇ１は、３次元的な形状である支配領域の３次元空間上の重心である。
【００８９】
このように、支配領域Ｒａの重心Ｇ１と末梢の枝Ｂの末端Ｔとを結んだ直線Ｌ４を気管支領域の末梢の枝Ｂの延長線として推定した場合には、解剖学的な見地に基づいて、より高精度に末梢の枝の延長線を推定することができる。
【００９０】
また、上述したように気管支領域の末梢の枝の支配領域を用いて末梢の枝の延長線の肺表面における到達位置を推定するその他の方法として、たとえば分岐位置情報取得部１３によって取得された分岐位置の情報に基づいて、末梢の枝を特定し、肺領域におけるその特定した末梢の枝の支配領域を特定し、その支配領域の表面のうちの肺領域の表面となる領域の重心を到達位置情報として推定するようにしてもよい。
【００９１】
具体的には、図１１に示すように、分岐位置情報取得部１３によって取得された分岐点Ｓに基づいて末梢の枝Ｂを特定し、肺領域における末梢の枝Ｂの支配領域Ｒａを特定し、その支配領域Ｒａの表面のうちの肺領域の表面となる領域Ａの重心Ｇ２を到達位置情報として推定するようにしてもよい。なお、ここでいう重心Ｇ２は、３次元空間上の面として表される領域Ａの重心である。
【００９２】
また、気管支の周辺には肺動脈および肺静脈があり、気管支の延伸方向と肺動脈および肺静脈の延伸方向とは類似していることが知られている。そこで、肺動脈や肺動脈の延伸方向の情報に基づいて、気管支領域の末梢の枝の延長線が肺表面に到達する位置を推定するようにしてもよい。
【００９３】
具体的には、図１２に示すように、マッピング画像表示制御装置１に対してさらに血管領域抽出部１６を設ける。血管領域抽出部１６は、３次元画像６から肺領域内に含まれる血管領域を抽出するものである。具体的には、血管領域抽出部１６は、肺動脈領域および肺静脈領域を抽出する。肺動脈領域および肺静脈領域の抽出方法としては、たとえば領域拡張法などの公知な手法を用いることができる。
【００９４】
そして、到達位置情報推定部１４は、分岐位置情報取得部１３によって取得された分岐位置の情報に基づいて気管支領域の末梢の枝に沿って延びる肺動脈領域および肺静脈領域を特定し、その特定した肺動脈領域および肺静脈領域に基づいて、気管支領域の末梢の枝の延長線を推定する。具体的には、図１３示すように、分岐位置情報取得部１３によって取得された分岐点Ｓに最も近い肺動脈領域の位置ｖ１と分岐点Ｓに最も近い肺静脈領域の位置ａ１とを検出し、さらに、グラフ構造の末梢の枝の末端Ｔに最も近い肺動脈領域上の位置ｖ２と末端Ｔに最も近い肺静脈領域上の位置ａ２とを検出する。
【００９５】
なお、分岐点Ｓは、グラフ構造の末梢の枝の末端Ｔから気管上流側に向かって一つ目の分岐点である。また、分岐点Ｓに最も近い肺動脈領域上の位置ｖ１とは、分岐点Ｓとの距離が最も短い肺動脈領域上の位置であり、分岐点Ｓに最も近い肺静脈領域上の位置ａ１とは、分岐点Ｓとの距離が最も短い肺静脈領域上の位置である。また、末端Ｔに最も近い肺動脈領域上の位置ｖ２とは、末端Ｔとの距離が最も短い肺動脈領域上の位置であり、末端Ｔに最も近い肺静脈領域上の位置ａ２とは、末端Ｔと距離が最も短い肺静脈領域上の位置である。
【００９６】
そして、肺動脈領域上の位置ｖ１から位置ｖ２へ向かう方向を肺動脈領域の延伸方向として推定して第１のベクトルを設定し、肺静脈領域上の位置a１から位置ａ２へ向かう方向を肺静脈領域の延伸方向として推定して第２のベクトルを設定し、第１のベクトルと第２のベクトルの平均を算出する。そして、その平均のベクトルを伸ばした直線Ｌ５を気管支領域の末梢の枝の延長線として推定し、この延長線が肺表面に到達する位置を取得する。
【００９７】
このように肺静脈領域および肺動脈領域を用いて末梢の枝の延長線を推定することによって、解剖学的な見地に基づいて、より高精度に末梢の枝の延長線を推定することができる。
【００９８】
なお、上記説明では、肺動脈領域上の位置ｖ1と位置ｖ２を用いて第１のベクトルを設定し、肺静脈領域上の位置ａ１と位置ａ２を用いて第２のベクトルを設定するようにしたが、たとえば肺動脈領域上の位置ｖ1と位置ｖ２とこれらの位置の間の点を用いてスプライン補間して第１の曲線を設定し、肺静脈領域上の位置ａ１と位置ａ２とこれらの位置の間の点を用いてスプライン補間して第２の曲線を設定し、第１の曲線と第２の曲線を平均化した曲線を気管支領域の末梢の枝の延長線として推定するようにしてもよい。
【００９９】
また、上記説明では、肺静脈領域と肺動脈領域の両方を使用して末梢の枝の延長線を推定するようにしたが、いずれか一方のみを用いて末梢の枝の延長線を推定するようにしてもよい。たとえば、肺動脈領域に基づいて設定された第１のベクトルに平行であり、かつ末梢の枝の末端Ｔを通る直線を末梢の枝の延長線を推定するようにしてもよい。また、肺静脈領域に基づいて設定された第２のベクトルに平行であり、かつ末梢の枝の末端Ｔを通る直線を末梢の枝の延長線を推定するようにしてもよい。
【符号の説明】
【０１００】
１     マッピング画像表示制御装置
２     医用画像保管サーバ
３     表示装置
４     入力装置
１０   医用画像取得部
１１   肺領域抽出部
１２   気管支領域抽出部
１３   分岐位置情報取得部
１４   到達位置情報推定部
１５   表示制御部
１６   血管領域抽出部
Ｂ，Ｂｒ，Ｂｒａ，Ｂｓ，Ｂｔ，Ｂｖ，Ｂｖｓ，Ｂｖ３，Ｂｖ４   末梢の枝
Ｇ１   支配領域の重心
Ｇ２   肺領域の表面となる領域の重心
Ｌ１   延長線
Ｌ２，Ｌ３     スプライン補間によって求められた曲線
Ｌ４   直線
Ｌ５   直線
Ｐ１，Ｐ２，Ｐ３，Ｐ４，Ｐｒ，Ｐｒａ  到達位置情報
Ｒ     領域
Ｒａ   支配領域
Ｓ     分岐点
Ｔ     末端
Ｖ     分岐点
Ｗ     分岐点
Ｘ     分岐点
ａ１，ａ２     肺静脈領域上の位置
ｖ１，ｖ２     肺動脈領域上の位置
Ａ     支配領域の表面のうちの肺領域の表面となる領域
【図１】
2018138124.tif 000003
【図２】
2018138124.tif 000004
【図３】
2018138124.tif 000005
【図４】
2018138124.tif 000006
【図５】
2018138124.tif 000007
【図６】
2018138124.tif 000008
【図７】
2018138124.tif 000009
【図８】
2018138124.tif 000010
【図９】
2018138124.tif 000011
【図１０】
2018138124.tif 000012
【図１１】
2018138124.tif 000013
【図１２】
2018138124.tif 000014
【図１３】
2018138124.tif 000015